(57)【要約】【課題】適切なタイミングで印刷の準備を開始することにより、電力消費を抑えつつ、ユーザーの待ち時間および原稿の放置時間を従来よりも短くする画像形成システムを提供する。【解決手段】画像形成装置と、立ち上がり動作検知センサとを備えた画像形成システムであって、前記画像形成装置は、通信部と、前記印刷データを印刷する印刷部と、制御部とを備え、前記立ち上がり動作検知センサは、外部の端末のユーザーの立ち上がり動作を検知する立ち上がり動作検知部と、センサ通信部と、センサ制御部とを備え、前記制御部は、前記外部の端末からの印刷指示を前記通信部が受信した後、前記立ち上がり動作検知センサによる前記ユーザーの立ち上がり動作の検知情報を受信することにより、前記印刷指示に係る印刷データの印刷の準備を開始し、前記印刷データを前記印刷部に印刷させることを特徴とする画像形成システム。【選択図】図７
2018065276.tif 000002
【特許請求の範囲】
【請求項１】
外部の端末から受信した印刷データの印刷を行う画像形成装置と、人体の立ち上がり動作を検知する立ち上がり動作検知センサとを備えた画像形成システムであって、
前記画像形成装置は、前記外部の端末および前記立ち上がり検知端末と通信を行う通信部と、前記印刷データを印刷する印刷部と、前記通信部および前記印刷部を制御する制御部とを備え、
前記立ち上がり動作検知センサは、前記外部の端末のユーザーの立ち上がり動作を検知する立ち上がり動作検知部と、前記画像形成装置と通信を行うセンサ通信部と、前記立ち上がり動作検知部および前記センサ通信部を制御するセンサ制御部とを備え、
前記制御部は、前記外部の端末からの印刷指示を前記通信部が受信した後、前記立ち上がり動作検知センサによる前記ユーザーの立ち上がり動作の検知情報を受信することにより、前記印刷指示に係る印刷データの印刷の準備を開始し、前記印刷データを前記印刷部に印刷させることを特徴とする画像形成システム。
【請求項２】
前記画像形成装置は、予め定められた条件で省電力状態に移行し、省電力状態から復帰する省電力状態移行機能をさらに備え、
前記印刷の準備の開始は、前記省電力状態からの復帰を含む請求項１に記載の画像形成システム。
【請求項３】
前記制御部は、前記検知情報を受信したとき、前記外部の端末に前記印刷指示に係る印刷データを送信するよう要求し、受信した前記印刷データを前記印刷部に印刷させる請求項１または２に記載の画像形成システム。
【請求項４】
前記画像形成装置は、前記印刷データを保持する記憶部をさらに備え、
前記制御部は、前記外部の端末から印刷指示および前記印刷指示に係る印刷データを前記通信部が受信したとき、前記印刷データを前記記憶部に保持させ、前記検知情報を受信したとき、前記印刷データを前記印刷部に印刷させる請求項１または２に記載の画像形成システム。
【請求項５】
前記立ち上がり動作検知部は、気圧センサまたは加速度センサにより前記ユーザーの立ち上がり動作を検知する請求項１〜４のいずれか１つに記載の画像形成システム。
【請求項６】
印刷データの印刷指令をした印刷者の情報を特定する印刷者特定情報および前記印刷データを外部の端末から受信する第１通信部と、
前記印刷者特定情報および前記印刷データを保持する記憶部と、
立ち上がり動作をした動作者を特定する動作者特定情報を外部の立ち上がり動作検知センサから受信する第２通信部と、
前記印刷者特定情報および前記動作者特定情報が一致するか否かを判定する判定部と、
前記印刷データを印刷する印刷部と、
前記第１通信部、前記記憶部、前記第２通信部、前記判定部および前記印刷部を制御する制御部とを備え、
前記制御部は、前記第１通信部が前記印刷者特定情報および前記印刷データを受信し、前記第２通信部が前記動作者特定情報を受信した後、前記判定部に前記印刷者特定情報および前記動作者特定情報が一致するか否かを判定させ、前記印刷者特定情報および前記動作者特定情報が一致すると前記判定部が判定した場合、前記印刷データを前記印刷部に印刷させることを特徴とする画像形成装置。
【発明の詳細な説明】
【技術分野】
【０００１】
この発明は、画像形成装置を備えた画像形成システムに関し、適切なタイミングで印刷の準備を開始する画像形成システムおよび画像形成装置に関する。
【背景技術】
【０００２】
従来、省電力状態移行機能を備えた画像形成装置が知られている。このような画像形成装置においては、例えば、装置が一定時間使用されない場合に省電力状態に移行し、所定のタイミングで装置を起動することによって電力消費を抑える。
【０００３】
このような省電力状態移行機能を備えた画像形成装置においては、装置に設けられた人感センサ等で装置の近くに近づいたユーザーを検知することによって、省電力状態から復帰する機能を備えたものが知られている。しかしながら、このような人感センサを備えた画像形成装置は、印刷した紙を取りに来たユーザーだけでなく、装置の前を通過しただけの人も誤検知することによって、電力を無駄に消費しまうこともある。
【０００４】
このような誤検知を防止するため、従来、第１電力状態と前記第１電力状態より消費電力の少ない第２電力状態になる画像形成装置であって、物体から放射される熱を検知するための複数の素子が線上または格子に配列された検出手段と、前記検出手段の検出結果を用いて前記画像形成装置の電力状態を前記第２電力状態から前記第１電力状態に移行するかどうかを判断して前記移行を制御する判断手段と、を有し、前記判断手段は、前記検出手段のいずれの素子から所定温度以上の温度を検知し始めたかに応じて、前記第１電力状態に移行するための条件を切り替えることを特徴とする画像形成装置の発明が開示されている（特許文献１参照）。
また、画像形成装置が省電力モードである場合、処理予測時間情報と、移動時間情報と、復帰時間情報とに基づいて前記印刷ジョブを前記画像形成装置に送信するタイミングを変更する変更手段と、を有する情報処理装置の発明も開示されている（特許文献２参照）。
【先行技術文献】
【特許文献】
【０００５】
【特許文献１】特開２０１５−１７４２９６号公報
【特許文献２】特開２０１４−２２５１４４号公報
【発明の概要】
【発明が解決しようとする課題】
【０００６】
しかしながら、人体検出センサの検知情報に基づき、省電力状態から復帰する画像形成装置において、紙を取りに来た人と装置の前を通過する人とを精度良く識別するには、装置にユーザーがかなり近づく必要がある。実際、装置がユーザーを識別した後、当該ユーザーが装置前に到達するまでの時間はせいぜい１〜２秒程度しかないのに対し、装置が省電力状態から復帰するまでの時間は、少なくとも１０秒程度かかることがある。それゆえ、ユーザーの接近を検知してから装置が省電力状態から復帰する場合、ユーザーは何秒間も待たされることがあった。
【０００７】
また、処理時間や移動時間等に基づいて省電力状態から復帰する画像形成装置において、印刷後、何らかの事情でユーザーが紙を取りに行くまでの時間が遅くなった場合、画像形成装置に原稿が残されたまま放置されてしまうため、セキュリティ上問題があり、さらには、ユーザーが出力した印刷物と混在し、誤って持ち去られる等の問題があった。
【０００８】
この発明は、以上のような事情を考慮してなされたものであって、適切なタイミングで印刷の準備を開始することにより、電力消費を抑えつつ、ユーザーの待ち時間および原稿の放置時間を従来よりも短くする画像形成システムおよび画像形成装置を提供するものである。
【課題を解決するための手段】
【０００９】
この発明は、外部の端末から受信した印刷データの印刷を行う画像形成装置と、人体の立ち上がり動作を検知する立ち上がり動作検知センサとを備えた画像形成システムであって、前記画像形成装置は、前記外部の端末および前記立ち上がり検知端末と通信を行う通信部と、前記印刷データを印刷する印刷部と、前記通信部および前記印刷部を制御する制御部とを備え、前記立ち上がり動作検知センサは、前記外部の端末のユーザーの立ち上がり動作を検知する立ち上がり動作検知部と、前記画像形成装置と通信を行うセンサ通信部と、前記立ち上がり動作検知部および前記センサ通信部を制御するセンサ制御部とを備え、前記制御部は、前記外部の端末からの印刷指示を前記通信部が受信した後、前記立ち上がり動作検知センサによる前記ユーザーの立ち上がり動作の検知情報を受信することにより、前記印刷指示に係る印刷データの印刷の準備を開始し、前記印刷データを前記印刷部に印刷させることを特徴とする画像形成システムを提供する。
また、この発明は、印刷データの印刷指令をした印刷者の情報を特定する印刷者特定情報および前記印刷データを外部の端末から受信する第１通信部と、前記印刷者特定情報および前記印刷データを保持する記憶部と、立ち上がり動作をした動作者を特定する動作者特定情報を外部の立ち上がり動作検知センサから受信する第２通信部と、前記印刷者特定情報および前記動作者特定情報が一致するか否かを判定する判定部と、前記印刷データを印刷する印刷部と、前記第１通信部、前記記憶部、前記第２通信部、前記判定部および前記印刷部を制御する制御部とを備え、前記制御部は、前記第１通信部が前記印刷者特定情報および前記印刷データを受信し、前記第２通信部が前記動作者特定情報を受信した後、前記判定部に前記印刷者特定情報および前記動作者特定情報が一致するか否かを判定させ、前記印刷者特定情報および前記動作者特定情報が一致すると前記判定部が判定した場合、前記印刷データを前記印刷部に印刷させることを特徴とする画像形成装置を提供する。
【発明の効果】
【００１０】
この発明によれば、前記外部の端末からの印刷指示を前記通信部が受信した後、前記立ち上がり動作検知センサによる前記ユーザーの立ち上がり動作の検知情報を受信することにより、前記印刷指示に係る印刷データの印刷の準備を開始することにより、適切なタイミングで印刷の準備を開始することができるため、電力消費を抑えつつ、ユーザーの待ち時間および原稿の放置時間を従来よりも短くする画像形成システムおよび画像形成装置を実現できる。
【図面の簡単な説明】
【００１１】
【図１】この発明の画像形成装置の実施形態１に係るデジタル複合機、ＰＣおよび立ち上がり動作検知センサ付き端末からなる画像形成システムの概略構成を示す説明図である。
【図２】図１に示すデジタル複合機の本体部分の機構的構成を示す断面図である。
【図３】図１に示すデジタル複合機の電気的構成を示すブロック図である。
【図４】図１に示すＰＣの電気的構成を示すブロック図である。
【図５】図１に示す立ち上がり動作検知センサ付き端末の概略構成を示す説明図である。
【図６】図５に示す立ち上がり動作検知センサ付き端末の電気的構成を示すブロック図である。
【図７】この発明の画像形成システムの立ち上がり検知処理の概略を示すフローチャート図である。
【図８】この発明の画像形成システムの立ち上がり検知処理の一例を示す説明図である。
【図９】この発明の画像形成システムの立ち上がり検知処理の一例を示す説明図である。
【図１０】この発明のデジタル複合機の印刷処理を示すフローチャート図である。
【図１１】この発明のＰＣの処理を示すフローチャート図である。
【図１２】この発明の立ち上がり動作検知センサ付き端末の処理を示すフローチャート図である。
【図１３】この発明の実施形態２の画像形成システムの立ち上がり検知処理の概略を示すフローチャート図である。
【図１４】この発明の実施形態２の画像形成システムの立ち上がり検知処理の一例を示す説明図である。
【図１５】この発明の実施形態２の画像形成システムの立ち上がり検知処理の一例を示す説明図である。
【図１６】この発明の実施形態２のデジタル複合機の印刷処理を示すフローチャート図である。
【図１７】この発明の実施形態２のＰＣの処理を示すフローチャート図である。
【図１８】この発明の実施形態２の立ち上がり動作検知センサ付き端末の処理を示すフローチャート図である。
【発明を実施するための形態】
【００１２】
（ｉ）この発明による画像形成システムは、外部の端末から受信した印刷データの印刷を行う画像形成装置と、人体の立ち上がり動作を検知する立ち上がり動作検知センサとを備えた画像形成システムであって、前記画像形成装置は、前記外部の端末および前記立ち上がり検知端末と通信を行う通信部と、前記印刷データを印刷する印刷部と、前記通信部および前記印刷部を制御する制御部とを備え、前記立ち上がり動作検知センサは、前記外部の端末のユーザーの立ち上がり動作を検知する立ち上がり動作検知部と、前記画像形成装置と通信を行うセンサ通信部と、前記立ち上がり動作検知部および前記センサ通信部を制御するセンサ制御部とを備え、前記制御部は、前記外部の端末からの印刷指示を前記通信部が受信した後、前記立ち上がり動作検知センサによる前記ユーザーの立ち上がり動作の検知情報を受信することにより、前記印刷指示に係る印刷データの印刷の準備を開始し、前記印刷データを前記印刷部に印刷させることを特徴とする。
また、この発明による画像形成装置は、印刷データの印刷指令をした印刷者の情報を特定する印刷者特定情報および前記印刷データを外部の端末から受信する第１通信部と、前記印刷者特定情報および前記印刷データを保持する記憶部と、立ち上がり動作をした動作者を特定する動作者特定情報を外部の立ち上がり動作検知センサから受信する第２通信部と、前記印刷者特定情報および前記動作者特定情報が一致するか否かを判定する判定部と、前記印刷データを印刷する印刷部と、前記第１通信部、前記記憶部、前記第２通信部、前記判定部および前記印刷部を制御する制御部とを備え、前記制御部は、前記第１通信部が前記印刷者特定情報および前記印刷データを受信し、前記第２通信部が前記動作者特定情報を受信した後、前記判定部に前記印刷者特定情報および前記動作者特定情報が一致するか否かを判定させ、前記印刷者特定情報および前記動作者特定情報が一致すると前記判定部が判定した場合、前記印刷データを前記印刷部に印刷させることを特徴とする。
【００１３】
この発明において、「画像形成装置」は、トナーによる像形成に電子写真方式、またインクを飛ばすことにより像形成を行うプリンタなどの複写（コピー機能）機能を有する複写機、または複写以外の機能をも含むＭＦＰ（Multifunctional Peripheral：多機能周辺装置）複合機など、外部の端末から受信した印刷データに基づき、画像を形成して出力する装置である。
「外部の端末」は、パーソナルコンピュータ（ＰＣ）やタブレット端末等の情報を処理する端末であり、印刷指示および印刷データを画像形成装置に送信する通信機能を有する。
「立ち上がり動作検知センサ」は、例えばカードに埋め込まれた気圧センサ、加速度センサ、または机上に設けたカメラ等からなる人体の立ち上がり動作を検知する検知機能を有するセンサである。
「印刷者特定情報」は、印刷指令を送信した外部の端末を特定するＩＰアドレス等の識別番号や、当該外部の端末に関連付けられたユーザーを特定する情報である。
「動作者特定情報」は、ユーザーの立ち上がり動作を検知した旨の情報として、立ち上がり動作検知センサから送信される当該立ち上がり動作検知センサを特定する識別番号や、当該立ち上がり動作検知センサに関連付けられたユーザーを特定する情報である。
【００１４】
さらに、この発明の好ましい態様について説明する。
（ii）前記画像形成装置は、予め定められた条件で省電力状態に移行し、省電力状態から復帰する省電力状態移行機能をさらに備え、前記印刷の準備の開始は、前記省電力状態からの復帰を含むものであってもよい。
【００１５】
このようにすれば、適切なタイミングで省電力状態からの復帰を開始することができるため、電力消費を抑えつつ、ユーザーの待ち時間および原稿の放置時間を従来よりも短くする画像形成システムが実現される。
【００１６】
（iii）前記制御部は、前記検知情報を受信したとき、前記外部の端末に前記印刷指示に係る印刷データを送信するよう要求し、受信した前記印刷データを前記印刷部に印刷させるものであってもよい。
【００１７】
このようにすれば、外部の端末のユーザーの立ち上がり動作を検知した後に印刷データを画像形成装置に送信するため、電力消費が抑えられ、画像形成装置の省電力効果を高めることが可能となる。
【００１８】
（iv）前記画像形成装置は、前記印刷データを保持する記憶部をさらに備え、前記制御部は、前記外部の端末から印刷指示および前記印刷指示に係る印刷データを前記通信部が受信したとき、前記印刷データを前記記憶部に保持させ、前記立ち上がり動作検知センサに前記検知情報を送信するよう要求し、前記検知情報を受信したとき、前記印刷データを前記印刷部に印刷させるものであってもよい。
【００１９】
このようにすれば、外部の端末のユーザーの立ち上がり動作を検知した後の印刷開始処理時間を短縮することが可能となる。
【００２０】
（ｖ）前記立ち上がり動作検知部は、気圧センサまたは加速度センサにより前記ユーザーの立ち上がり動作を検知するものであってもよい。
【００２１】
このようにすれば、気圧センサまたは加速度センサを備えたカードや端末等による立ち上がり動作の検知が可能となる。
【００２２】
以下、図面を用いてこの発明をさらに詳述する。なお、以下の説明は、すべての点で例示であって、この発明を限定するものと解されるべきではない。
【００２３】
〔実施形態１〕
図１〜図５に基づき、この発明の画像形成システム１０について説明する。
図１は、この発明の画像形成装置の実施形態１に係るデジタル複合機１、ＰＣ２および立ち上がり動作検知センサ付き端末３を備えた画像形成システム１０の概略構成を示す説明図である。図２は、図１に示すデジタル複合機１の本体部分の機構的構成を示す断面図である。図３は、この発明のデジタル複合機１の電気的構成を示すブロック図である。図４は、図１に示すＰＣ２の電気的構成を示す説明図である。図５は、図１に示す立ち上がり動作検知センサ付き端末の概略構成を示す説明図である。図６は、図５に示す立ち上がり動作検知センサ付き端末の電気的構成を示すブロック図である。
【００２４】
図１に示すように、この発明の画像形成システム１０は、デジタル複合機１、ＰＣ２および立ち上がり動作検知センサ付き端末３から構成される。
デジタル複合機１およびＰＣ２は、有線または無線のネットワーク４で接続されている。また、立ち上がり動作検知センサ付き端末３は、デジタル複合機１からの要求に応じてデジタル複合機１と無線通信を行う。
【００２５】
デジタル複合機１は、画像データをデジタル処理し、複写機能やスキャナ機能、ファクシミリ機能を有するＭＦＰ（Multifunctional Peripheral：多機能周辺装置）などの装置である。
【００２６】
＜デジタル複合機１の構成＞
ここで、図２に示すデジタル複合機１の内部的な構成を簡単に説明しておく。
図２に示すように、デジタル複合機１は、原稿を読み取る原稿読取装置１１１、原稿を読取り部に搬送する原稿搬送装置１１２および画像形成を行う印刷部１０２を備える。また、デジタル複合機１は、表示操作部１０３や通信部５５（図３参照）を介して受付けたユーザーからの指示に基づいてスキャナ、印刷およびコピーのジョブを実行する。
【００２７】
デジタル複合機１においては、ブラック（Ｋ）、シアン（Ｃ）、マゼンタ（Ｍ）、イエロー（Ｙ）の各色を用いたカラー画像を印刷シートに印刷する。あるいは、単色（例えばブラック）を用いたモノクロ画像を印刷シートに印刷する。このため、現像装置１２、感光体ドラム１３、ドラムクリーニング装置１４、および帯電器１５等は、それぞれ４個ずつ設けられる。各色に応じた４種類のトナー像を形成するために、それぞれがブラック、シアン、マゼンタ、およびイエローに対応付けられて、４つの画像ステーションＰａ、Ｐｂ、Ｐｃ、Ｐｄが構成されている。
【００２８】
各画像ステーションＰａ、Ｐｂ、Ｐｃ、Ｐｄのいずれにおいても、次のようにしてトナー像が形成される。ドラムクリーニング装置１４が、感光体ドラム１３表面の残留トナーを除去および回収する。その後、帯電器１５が感光体ドラム１３の表面を所定の電位に均一に帯電させる。そして、光走査装置１１が均一に帯電した前記表面を露光して前記表面に静電潜像を形成する。その後、現像装置１２が前記静電潜像を現像する。これにより、各感光体ドラム１３表面に各色のトナー像が形成される。
【００２９】
また、中間転写ベルト２１は矢印Ｃの方向に周回移動する。ベルトクリーニング装置２２は周回移動する中間転写ベルト２１の残留トナーを除去および回収する。各感光体ドラム１３表面の各色のトナー像が中間転写ベルト２１に順次転写して重ね合わせられて、中間転写ベルト２１上にカラーのトナー像が形成される。
【００３０】
前記印刷シートは、ピックアップローラ３３により４つある給送トレイ１８の何れか一つから引出されて、シート搬送経路Ｒ１を介して２次転写装置２３へ給送される。あるいは、手差しトレイ１９から図示しないピックアップローラによって給送され、シート搬送経路Ｒ１を介して２次転写装置２３へ給送される。シート搬送経路Ｒ１には、印刷シートを一旦停止させて印刷シートの先端を揃えるレジストローラ３４が配置されている。また印刷シートの搬送を促す搬送ローラ３５等が配置されている。レジストローラ３４は、印刷シートを一旦停止させた後、中間転写ベルト２１と転写ローラ２３ａ間のニップ域へトナー像の転写タイミングに合わせて印刷シートを搬送する。
【００３１】
２次転写装置２３の転写ローラ２３ａと中間転写ベルト２１との間にはニップ域が形成される。印刷シートが前記ニップを通過するとき、中間転写ベルト２１の表面に形成されたカラーのトナー像が印刷シートに転写される。印刷シートは、前記ニップ域を通過した後、定着装置１７の加熱ローラ２４と加圧ローラ２５との間に挟まれて加熱および加圧される。この加熱および加圧により、カラーのトナー像が印刷シート上に定着される。
【００３２】
定着装置１７を通過した印刷シートは、排出ローラ３６ａまたは３６ｂを経て排出トレイ３９ａまたは３９ｂへ排出される。印刷シートの排出先は、後述する制御部１００によって制御され、図示しない切替え機構によって排出トレイ３９ａおよび３９ｂの何れかへ印刷シートが導かれるように搬送経路が切替えられる。印刷シートの搬送経路の切替え機構は、画像形成装置の技術分野で周知であるので詳細な図示を省略している。
【００３３】
続いて、図３に基づき、デジタル複合機１の電気的な構成を簡単に説明しておく。
図３に示すように、デジタル複合機１は、通信部５５、制御部１００、印刷部１０２、表示操作部１０３、メモリ１０４、原稿読取装置１１１および原稿搬送装置１１２を備える。
【００３４】
以下、デジタル複合機１の電気的な各構成要素を説明する。
【００３５】
通信部５５は、外部の機器と通信データを送受信し、例えば外部のコンピュータから印刷ジョブの実行要求を受信する通信インターフェースの回路およびファームウェアである。
通信部５５は、外部の無線通信機器と無線通信を行う無線制御Ｉ／Ｆ ５５ａおよび有線のネットワーク４を介して通信を行うネットワークＩ／Ｆ ５５ｂを備える。
【００３６】
制御部１００は、デジタル複合機１を統合的に制御するものであって、ＣＰＵ、ＲＡＭ、ＲＯＭ、各種のインターフェース回路等からなる。
制御部１００は、デジタル複合機１全体の動作をコントロールするために、各センサの検知、モーター、クラッチ、定着ランプ等、あらゆる負荷の監視・制御を行う。
【００３７】
印刷部１０２は、電子写真方式により印刷画像を印刷シートに印刷する。印刷部１０２は、図２における光走査装置１１、現像装置１２、感光体ドラム１３、ドラムクリーニング装置１４および帯電器１５に係る電気的構成要素を含んで構成される。さらに、中間転写ベルト２１、定着装置１７、シート搬送経路Ｒ１、給送トレイ１８、および排出トレイ３９ａ、３９ｂに係る電気的構成要素を含んで構成される。
【００３８】
表示操作部１０３は、液晶ディスプレイ（Liquid Crystal Display）とタッチパネルから構成され、液晶ディスプレイに情報を表示し、タッチパネルを通じてユーザーからの指令を受け付ける部分である。制御部１００は、表示操作部１０３を通じて、デジタル複合機１の動作および状態の表示を行う。
【００３９】
メモリ１０４は、ＲＡＭ１０４ａおよびＲＯＭ１０４ｂを備え、例えばハードディスク装置（ＨＤＤ）やフラッシュメモリ等不揮発性の記憶手段であって、種々のデータやプログラムを保持する。
【００４０】
ＲＡＭ１０４ａは、制御部１００がアクセス可能なメモリ（Random Access Memory）であり、一時的にデータを記憶しておくワークメモリを提供する。
【００４１】
ＲＯＭ１０４ｂは、制御部１００がアクセス可能な読み出し専用メモリ（Read Only Memory）であり、制御部１００のプログラム制御のために必要なデータが保持される。ＲＯＭ１０４ｂには、例えば、画像形成機能や省電力状態移行機能などの設定の基礎となる各種のデータが保持される。
【００４２】
ＲＡＭ１０４ａおよびＲＯＭ１０４ｂは、制御部１００とバス接続されており、制御部１００を動作させるためのプログラム保持、メモリ展開がなされる。これらは一例の構成であって、複数のＣＰＵや基板により構成されるシステムであってもよい。
【００４３】
例えば、制御部１００は、原稿読取装置１１１および原稿搬送装置１１２を制御して、原稿搬送装置１１２により原稿を搬送する。そして、原稿読取装置１１１により原稿の画像を読取らせ、原稿の画像を示す画像データをメモリ１０４に保持する。さらに、印刷部１０２を制御して、ＰＣ２から受信した印刷データの画像を印刷シートに印刷させる。
【００４４】
また、デジタル複合機１の管理者は、立ち上がり動作検知センサ付き端末３の所有者である登録ユーザー情報の一覧（例えば、ユーザーＩＤの一覧、sh0000010, sh0000501, sh0000012など）を登録ユーザー情報として登録する。登録ユーザー情報は、ＲＯＭ１０４ｂに保持される。
【００４５】
これらの登録ユーザー情報は、ＰＣ２から受信した印刷者特定情報とも対応する。デジタル複合機１は、ＰＣ２から印刷ジョブの指示とともにユーザーＩＤやパスワード等の印刷者特定情報を受信する。制御部１００は、ＰＣ２から受信した印刷者特定情報と、ＲＯＭ１０４ｂに保持された登録ユーザー情報とを照合して対象となるユーザーを特定する。
【００４６】
以上がデジタル複合機１の構成の概要である。
【００４７】
次に、省電力状態移行機能について説明する。
実施形態１において、印刷部１０２は電子写真方式により画像形成を行うので、印刷シートに転写されたトナーを所定温度に加熱して前記印刷シートに定着させる定着装置１７を有している。
【００４８】
制御部１００は、例えば、省電力状態中に定着装置１７の加熱温度を定着温度Ｔ１より低い待機温度Ｔ２に下げることによって省電力を実現する。省電力状態からの復帰に際して、加熱ローラ２４の温度を前述の所定温度まで上昇させるために時間を要する。
【００４９】
また、制御部１００は、例えば、省電力状態中に原稿を読み取る原稿読取装置１１１への通電を遮断して省電力を実現する。省電力状態からの復帰に際して、原稿読取装置１１１への通電を再開して特性が安定するまで時間を要する。また、必要に応じてキャリブレーションの動作を行うこともある。
【００５０】
また、制御部１００は、稼働状態制御部１００ａおよび加熱温度制御部１００ｂを備える。
稼働状態制御部１００ａは、省電力状態時から稼働状態に復帰させる。続いて、加熱温度制御部１００ｂは、図示しない加熱回路を制御して、加熱ローラ２４の温度を定着温度Ｔ１に上昇させる。加熱ローラ２４の温度が定着温度Ｔ１になったとき、制御部１００は、印刷部１０２に印刷ジョブを実行させる。その後、印刷ジョブが終了し、省電力待機時間を経過した後、制御部１００は、稼働状態制御部１００ａに省電力状態に移行させる。
【００５１】
制御部１００は、表示操作部１０３や通信部５５を介してユーザーから印刷ジョブやスキャナジョブ等の開始の指示を受付ける。
【００５２】
また、これらのジョブの実行やユーザーからの指示を受付けない時間が予め定められた省電力待機時間を超えて続いた場合、指示を受け付けたらすぐにジョブの実行を開始できる通常の稼働状態から電力を節約する省電力状態に移行する。なお、省電力状態への移行は、前述のように待機状態が所定期間続いた場合だけでなく、明示的なユーザーの操作を受付けた場合や予め設定された時刻が到来した場合に行われてもよい。あるいは、周囲の環境（例えば照度や騒音の程度など）が予め設定された状態になった場合に行われてもよい。
【００５３】
省電力状態中は、デジタル複合機１の各部への通電が遮断または低減されるので通常の稼働状態に比べて電力消費量は格段に減少する。その一方で、指示を受け付けたらすぐにジョブの実行を開始できる状態へ復帰するにはある程度の復帰時間（例えば、約１０秒程度）を要する。復帰時間は、ジョブの実行を開始するために、遮断されている各部への通電を再開し、各部を動作可能な待機状態に復帰させるまでの期間である。言い換えれば、通常の稼働状態に復帰させる時間である。
【００５４】
＜ＰＣ２の電気的構成＞
次に、図４に基づき、ＰＣ２の電気的構成について説明する。
【００５５】
図４に示されるように、この発明のＰＣ２は、制御部２００、画像処理部２０１、表示部２０２、操作部２０３、メモリ２０４および通信部２５５を備える。
【００５６】
以下、ＰＣ２の電気的な各構成要素を説明するが、メモリ２０４および通信部２５５は、それぞれ図３のメモリ１０４および通信部５５と同様の構成を有するため、説明を省略する。
【００５７】
制御部２００は、ＰＣ２を統合的に制御する部分であって、ＣＰＵ、ＲＡＭ、ＲＯＭ、各種のインターフェース回路等からなる。
【００５８】
画像処理部２０１は、操作部２０３からの指令に従い、画像データの拡大・縮小等の出力に適するように処理を行う部分である。
【００５９】
表示部２０２は、ＰＣ２の各種情報の表示を行う部分である。表示部２０２は、例えば、ＣＲＴディスプレイ、液晶ディスプレイ、ＥＬディスプレイなどで構成され、オペレーティングシステムやアプリケーションソフトウェアの処理状態など電子的なデータを表示するためのモニターやラインディスプレイなどの表示装置である。制御部２００は、表示部２０２を通じて、ＰＣ２の動作および状態の表示を行う。
【００６０】
操作部２０３は、ＰＣ２の操作を行うためのインターフェースである。ユーザーは操作部２０３を操作することによって、ＰＣ２に対する印刷等の指示を実行する。操作部２０３は、複数のキーの配列からなる。また、デジタル複合機１の表示操作部１０３と同様にタッチパネルを有するものであってもよい。
【００６１】
ＰＣ２には、ワープソフト、ペイントソフト等の画像生成用のソフトウェアと、デジタル複合機１に生成した画像データの印刷ジョブの実行要求および前記画像データを送信して前記画像データの印刷処理を実行させるプリンタドライバが予めインストールされている。
【００６２】
ＰＣ２上で生成された画像は、プリンタドライバによって画像形成のためのコマンドがページ記述言語で記述されたデータ（以下、ＰＤＬデータという）に変換され、変換されたＰＤＬデータがＰＣ２からデジタル複合機１へ送信される。
【００６３】
ＰＤＬデータを受信したデジタル複合機１は、受信したＰＤＬデータに含まれるコマンドを解析して、描画オブジェクトおよび描画オブジェクトの属性（描画オブジェクトの種類、座標、色彩等）を示す情報を含む中間データを生成し、生成した中間データをレンダリングすることによって、ラスタイメージデータを生成する。
デジタル複合機１は、生成したラスタイメージデータに基づいて、記録用紙に画像を形成する。
【００６４】
また、プリンタドライバがＰＤＬデータに基づいて中間データを生成し、生成した中間データをデジタル複合機１へ送信する構成であってもよい。この場合、デジタル複合機１は中間データを生成する必要はなく、受信した中間データをレンダリングすることによって、ラスタイメージデータを生成して記録用紙に画像を形成する。
【００６５】
＜立ち上がり動作検知センサ付き端末３の概略構成および電気的構成＞
次に、図５および図６に基づき、立ち上がり動作検知センサ付き端末３の概略構成および電気的構成を説明する。
【００６６】
立ち上がり動作検知センサ付き端末３は、図５に示すように、人体の立ち上がり動作を検知する立ち上がりセンサおよびデジタル複合機１との無線通信機能を有するＩＣを備える。
【００６７】
また、立ち上がり動作検知センサ付き端末３は、図６に示すように、制御部３００、メモリ３０４、電源制御・電池部３１１、立ち上がり動作検知用センサ３１２および通信部３５５を備える。
ユーザーは、立ち上がり動作検知センサ付き端末３をポケットや財布等に入れたり、または図示しないクリップやピンで衣服にとめたり、ストラップ等で首にかけたりして身に付ける。
【００６８】
以下、立ち上がり動作検知センサ付き端末３の電気的な各構成要素を説明するが、制御部３００およびメモリ３０４は、それぞれＰＣ２の制御部２００およびメモリ２０４と同様の構成を有するため、説明を省略する。
【００６９】
電源制御・電池部３１１は、立ち上がり動作検知センサ付き端末３の各部の動作に必要な電力を供給し、制御する部分である。
【００７０】
立ち上がり動作検知用センサ３１２は、立ち上がり動作検知センサ付き端末３を身に付けたユーザーの立ち上がり動作を検知するためのセンサである。
【００７１】
立ち上がり動作検知用センサ３１２としては、数十センチ程度の相対的な高低差に起因する微小な気圧の変化を検知可能な気圧センサ（例えば、ローム製のＢＭ１３８３ＧＬＶなど）が用いられる。
【００７２】
通信部３５５は、デジタル複合機１からの要求に応じて、通信データを送信する通信インターフェースの回路およびファームウェアである。
通信部３５５は、デジタル複合機１と無線通信を行う無線制御Ｉ／Ｆ ３５５ａを備える。
無線の通信規格としては、Ｗｉ−ＦｉやＢＬＥ（Bluetooth（登録商標） Low Energy）などが用いられる。
【００７３】
この発明の「立ち上がり動作検知センサ」は、立ち上がり動作検知センサ付き端末３によって実現され、また、この発明の「センサ制御部」は、制御部３００によって実現され、また、この発明の「立ち上がり動作検知部」は、立ち上がり動作検知用センサ３１２によって実現され、また、この発明の「センサ通信部」は、通信部３５５によって実現される。
【００７４】
＜この発明の画像形成システム１０の立ち上がり検知処理の概略＞
次に、図７〜図９に基づき、この発明の画像形成システム１０の立ち上がり検知処理の概略について説明する。
図７は、この発明の画像形成システム１０の立ち上がり検知処理の概略を示すフローチャート図である。図８および図９は、この発明の画像形成システム１０の立ち上がり検知処理の一例を示す説明図である。
【００７５】
この発明の画像形成システム１０の立ち上がり検知処理において、ユーザーがＰＣ２において印刷要求を行ったとしても、デジタル複合機１はすぐに印刷処理を実行せず、立ち上がり動作検知センサ付き端末３がユーザーの席からの立ち上がり動作を検知した後に、デジタル複合機１が印刷準備を開始する。
【００７６】
以下、図７に基づき、この発明の画像形成システム１０の立ち上がり検知処理の概略について説明する。
【００７７】
図７のステップＳ１０１において、ＰＣ２の制御部２００は、操作部２０３から印刷ジョブの実行指示を受け付けたとき、デジタル複合機１に当該印刷ジョブの指示をユーザーあるいはＰＣ２を特定するユーザー情報（以下、印刷者特定情報という）とともに送信する（ステップＳ１０１）。
【００７８】
ＰＣ２は、この段階では、印刷データをデジタル複合機１に送信せず、ステップＳ１０９においてデジタル複合機１から“準備完了”の旨の通知を受信するまで、ＲＡＭ２０４ａに一時的に印刷データを保持したまま待機する。
【００７９】
次に、ステップＳ１０２において、デジタル複合機１が印刷ジョブの指示を受信すると、制御部１００は、ＰＣ２に“準備中”である旨の返信をＰＣ２に送信する（ステップＳ１０２）。
【００８０】
次に、ステップＳ１０３において、制御部１００は、登録ユーザーの立ち上がり動作検知センサ付き端末３との通信を試み、通信可能か否かを判定する（ステップＳ１０３）。
【００８１】
具体的には、制御部１００は、ＲＯＭ１０４ｂに保持された登録ユーザー情報のうち、ＰＣ２から送信された印刷者特定情報に一致するものが存在するか否かを確認し、一致する登録ユーザー情報が存在する場合は、当該登録ユーザー情報に関連付けられた立ち上がり動作検知センサ付き端末３との通信を試みる。
【００８２】
ステップＳ１０３において、登録ユーザーの立ち上がり動作検知センサ付き端末３との通信が可能な場合（ステップＳ１０３の判定がＹｅｓの場合）、制御部１００は、ステップＳ１０４において、当該登録ユーザーの立ち上がり動作検知センサ付き端末３に、当該登録ユーザーの立ち上がり動作を検知した旨の情報として、当該登録ユーザーを特定可能な情報（以下、動作者特定情報という）の通知を要求する（ステップＳ１０４）。
【００８３】
次に、ステップＳ１０５において、当該登録ユーザーの立ち上がり動作検知センサ付き端末３の制御部３００は、立ち上がり動作検知用センサ３１２の立ち上がり検知機能を有効にして、当該登録ユーザーの立ち上がり動作の検知を開始する（ステップＳ１０５）。
【００８４】
一方、ステップＳ１０６において、デジタル複合機１は、“準備中”の状態を維持したまま、当該登録ユーザーの立ち上がり動作検知センサ付き端末３が当該登録ユーザーの立ち上がり動作を検知するまで待機する（ステップＳ１０６）。
【００８５】
ここで、図８に示すように、ユーザーがＰＣ２において印刷要求をしたとき、ＰＣ２はネットワーク４を通じて、デジタル複合機１に印刷ジョブの指示を送信する。
一方、ＰＣ２から印刷ジョブを受信したデジタル複合機１は、“準備中”である旨の返信をＰＣ２に行い、印刷データはデジタル複合機１に送信されずにＰＣ２に保持されたままとなる。
【００８６】
次に、図７のステップＳ１０７において、制御部３００は、当該登録ユーザーの立ち上がり動作を検知したか否かを判定する（ステップＳ１０７）。
【００８７】
当該登録ユーザーの立ち上がり動作を検知した場合（ステップＳ１０７の判定がＹｅｓの場合）、ステップＳ１０８において、制御部３００は、当該登録ユーザーを特定可能な動作者特定情報をデジタル複合機１に送信する（ステップＳ１０８）。
【００８８】
一方、当該登録ユーザーの立ち上がり動作を検知しない場合（ステップＳ７の判定がＮｏの場合）、当該登録ユーザーの立ち上がり動作検知センサ付き端末３およびデジタル複合機１は、ステップＳ１０６およびＳ１０７の処理を繰り返す（ステップＳ１０６およびＳ１０７）。
【００８９】
なお、予め定められた時間内に当該登録ユーザーの立ち上がり動作を検知しない場合、デジタル複合機１は、ステップＳ１０９の処理を行うようにしてもよい（ステップＳ１０９）。
【００９０】
次に、デジタル複合機１が立ち上がり動作検知センサ付き端末３から動作者特定情報を受信すると、ステップＳ１０９において、制御部１００は、ＰＣ２へ準備が完了した旨の通知を印刷ジョブの指示を送信したＰＣ２に対し送信し、当該印刷ジョブに係る印刷データの送信要求を行う（ステップＳ１０９）。
【００９１】
最後に、ステップＳ１１０において、印刷データの送信要求を受信した制御部２００は、ＲＡＭ２０４ａに保持していた印刷データをデジタル複合機１に送信する。
デジタル複合機１がＰＣ２から印刷データを受信すると、制御部１００は、省電力状態から復帰して印刷準備を開始させ、当該印刷データを印刷部１０２に印刷する（ステップＳ１１０）。
その後、制御部１００は、印刷処理を終了する。
【００９２】
このように、印刷を行った登録ユーザーの立ち上がり動作を検知した後で印刷を行うことにより、電力消費を抑えつつ、ユーザーの待ち時間および原稿の放置時間を従来よりも短くするデジタル複合機１を実現することができる。
【００９３】
一方、ステップＳ１０３において、登録ユーザーの立ち上がり動作検知センサ付き端末３との通信が可能でない場合（ステップＳ１０３の判定がＮｏの場合）、デジタル複合機１およびＰＣ２は、ステップＳ１０９およびＳ１１０の処理を行う（ステップＳ１０９およびＳ１１０）。
【００９４】
ここで、「当該登録ユーザーの立ち上がり動作を検知しない場合」とは、例えば、ＲＯＭ１０４ｂに保持された登録ユーザー情報のうち、ＰＣ２から送信されたユーザー情報に一致するものが存在しない場合や、当該登録ユーザー情報に関連付けられた立ち上がり動作検知センサ付き端末３との通信を確立できない場合などがあげられる。
【００９５】
当該登録ユーザー情報に関連付けられた立ち上がり動作検知センサ付き端末３との通信を確立できない場合、制御部１００は予め定められた時間の経過後に、当該登録ユーザーの立ち上がり動作を検知しないものと判定し、ステップＳ１０９およびＳ１１０の処理を行うものとする。
【００９６】
このように、登録ユーザーの存在が確認できない場合は、通常の印刷処理を行うため、立ち上がり動作検知センサ付き端末を保持しないユーザーや非登録ユーザーもデジタル複合機１を利用することが可能になる。
【００９７】
＜デジタル複合機１の印刷処理の概略＞
次に、図１０に基づき、この発明のデジタル複合機１の印刷処理の概略について説明する。
図１０は、この発明のデジタル複合機１の処理を示すフローチャート図である。
なお、図１０の破線の矢印は、図１１または図１２のフローチャート図における関連したステップを示すものである。
例えば、図１０のステップＳ１１１の処理は、図１１のステップＳ１２１の処理を受けて行われる。また、図１０のステップＳ１１２の処理を受けて、図１１のステップＳ１２２の処理が行われる。後述する図１１、図１２および図１６〜図１８においても同様である。
【００９８】
図１０のステップＳ１１１において、デジタル複合機１の制御部１００は、ＰＣ２からの印刷ジョブの指示を印刷者特定情報とともに受信したか否かを判定する（ステップＳ１１１）。
【００９９】
ＰＣ２からの印刷ジョブの指示を受信した場合（ステップＳ１１１の判定がＹｅｓの場合）、ステップＳ１１２において、制御部１００は、ＰＣ２に“準備中”であることを示す返信を送信する（ステップＳ１１２）。
一方、ＰＣ２からの印刷ジョブを受信していない場合（ステップＳ１１１の判定がＮｏの場合）、制御部１００は、ステップＳ１１１の処理を繰り返す（ステップＳ１１１）。
【０１００】
次に、ステップＳ１１３において、制御部１００は、ＲＯＭ１０４ｂに保持された登録ユーザー情報に基づき、登録ユーザーの立ち上がり動作検知センサ付き端末３との通信を試み、当該登録ユーザーの立ち上がり動作検知センサ付き端末３と通信可能か否かを判定する（ステップＳ１１３）。
【０１０１】
ステップＳ１１３において、登録ユーザーの立ち上がり動作検知センサ付き端末３との通信が可能な場合（ステップＳ１１３の判定がＹｅｓの場合）、ステップＳ１１４において、制御部１００は、当該登録ユーザーの立ち上がり動作検知センサ付き端末３に、当該登録ユーザーを特定可能な動作者特定情報の通知を要求する（ステップＳ１１４）。
【０１０２】
続いて、ステップＳ１１５において、制御部１００は、“準備中”の状態を維持したまま、当該登録ユーザーの立ち上がり動作検知センサ付き端末３から動作者特定情報を受信するまで待機する（ステップＳ１１５）。
【０１０３】
次に、ステップＳ１１６において、制御部１００は、当該登録ユーザーの立ち上がり動作検知センサ付き端末３から動作者特定情報を受信したか否かを判定する（ステップＳ１１６）。
【０１０４】
動作者特定情報を受信した場合（ステップＳ１１６の判定がＹｅｓの場合）、ステップＳ１１７において、制御部１００はＰＣ２へ“準備完了”の旨の通知を送信するとともに電力状態を省電力状態から稼働状態に復帰させる（ステップＳ１１７）。
【０１０５】
一方、動作者特定情報を受信していない場合（ステップＳ１１６の判定がＮｏの場合）、制御部１００は、ステップＳ１１５およびＳ１１６の処理を繰り返す（ステップＳ１１５およびＳ１１６）。
【０１０６】
次に、ステップＳ１１８において、制御部１００は、ＰＣ２から印刷データを受信したか否かを判定する（ステップＳ１１８）。
ＰＣ２から印刷データを受信した場合（ステップＳ１１８の判定がＹｅｓの場合）、制御部１００は、受信した印刷データの印刷を印刷部１０２に実行させ（ステップＳ１１９）、その後、印刷処理を終了する。
一方、ＰＣ２から印刷データを受信していない場合（ステップＳ１１８の判定がＮｏの場合）、制御部１００は、ステップＳ１１８の判定を繰り返す（ステップＳ１１８）。
【０１０７】
また、ステップＳ１１３において、登録ユーザーの立ち上がり動作検知センサ付き端末３との通信が可能でない場合（ステップＳ１１３の判定がＮｏの場合）、制御部１００は、ステップＳ１１７〜Ｓ１１９の処理を行い（ステップＳ１１７〜Ｓ１１９）、印刷処理を終了する。
【０１０８】
＜ＰＣ２の処理＞
次に、図１１に基づき、この発明のＰＣ２の処理について説明する。
図１１は、この発明のＰＣ２の処理を示すフローチャート図である。
【０１０９】
図１１のステップＳ１２１において、ＰＣ２の制御部２００は、デジタル複合機１に印刷ジョブの指示を印刷者特定情報とともに送信する（ステップＳ１２１）。
【０１１０】
続いて、ステップＳ１２２において、制御部２００は、デジタル複合機１から“準備中”の旨の通知を受信したか否かを判定する（ステップＳ１２２）。
デジタル複合機１から“準備中”の旨の通知を受信した場合（ステップＳ１２２の判定がＹｅｓの場合）、制御部２００は、ステップＳ１２３において、ＲＡＭ２０４ａに印刷データを保持したまま待機する（ステップＳ１２３）。
一方、デジタル複合機１から“準備中”の通知を受信していない場合（ステップＳ１２２の判定がＮｏの場合）、制御部２００は、ステップＳ１２２の判定を繰り返す（ステップＳ１２２）。
【０１１１】
次に、ステップＳ１２４において、制御部２００は、デジタル複合機１から“準備完了”の旨の通知を受信したか否かを判定する（ステップＳ１２４）。
デジタル複合機１から“準備完了”の旨の通知を受信した場合（ステップＳ１２４の判定がＹｅｓの場合）、制御部２００は、デジタル複合機１へＲＡＭ２０４ａに保持していた印刷データを送信させて（ステップＳ１２５）、処理を終了する。
一方、デジタル複合機１から“準備完了”の旨の通知を受信していない場合（ステップＳ１２４の判定がＮｏの場合）、制御部２００は、ステップＳ１２３およびＳ１２４の処理を繰り返す（ステップＳ１２３およびＳ１２４）。
【０１１２】
＜立ち上がり動作検知センサ付き端末３の処理＞
次に、図１２に基づき、この発明の立ち上がり動作検知センサ付き端末３の処理について説明する。
図１２は、この発明の立ち上がり動作検知センサ付き端末３の処理を示すフローチャート図である。
【０１１３】
図１２のステップＳ１３１において、立ち上がり動作検知センサ付き端末３の制御部３００は、デジタル複合機１から通信要求を受信したか否かを判定する（ステップＳ１３１）。
デジタル複合機１から通信要求を受信した場合（ステップＳ１３１の判定がＹｅｓの場合）、制御部３００は、ステップＳ１３２において、デジタル複合機１からの通信要求に応答する（ステップＳ１３２）。
一方、デジタル複合機１から通信要求を受信していない場合（ステップＳ１３１の判定がＮｏの場合）、制御部３００は、ステップＳ１３１の判定を繰り返す（ステップＳ１３１）。
【０１１４】
次に、ステップＳ１３３において、制御部３００は、動作者特定情報の通知の要求を受信したか否かを判定する（ステップＳ１３３）。
動作者特定情報の通知の要求を受信した場合（ステップＳ１３３の判定がＹｅｓの場合）、制御部３００は、ステップＳ１３４において、登録ユーザーの立ち上がり動作の検知を開始する（ステップＳ１３４）。
一方、動作者特定情報の通知の要求を受信していない場合（ステップＳ１３３の判定がＮｏの場合）、制御部３００は、ステップＳ１３３の判定を繰り返す（ステップＳ１３３）。
【０１１５】
次に、ステップＳ１３５において、制御部３００は、登録ユーザーの立ち上がり動作を検知したか否かを判定する（ステップＳ１３５）。
登録ユーザーの立ち上がり動作を検知した場合（ステップＳ１３５の判定がＹｅｓの場合）、制御部３００は、ステップＳ１３６において、デジタル複合機１に当該登録ユーザーの立ち上がり動作の検知結果を送信し（ステップＳ１３６）、処理を終了する。
一方、登録ユーザーの立ち上がり動作を検知していない場合（ステップＳ１３５の判定がＮｏの場合）、制御部３００は、ステップＳ１３５の判定を繰り返す（ステップＳ１３５）。
【０１１６】
〔実施形態２〕
次に、図１３〜図１８に基づき、この発明の実施形態２の画像形成システム１０について説明する。
図１３は、この発明の実施形態２の画像形成システム１０の立ち上がり動作の検知処理の概略を示すフローチャート図である。図１４および図１５は、この発明の実施形態２の画像形成システム１０の立ち上がり動作の検知処理の一例を示す説明図である。
【０１１７】
この発明の実施形態２の画像形成システム１０を構成するデジタル複合機１、ＰＣ２および立ち上がり動作検知センサ付き端末３の構成は、この発明の実施形態１の画像形成システム１０を構成するデジタル複合機１、ＰＣ２および立ち上がり動作検知センサ付き端末３の構成と基本的に同じであるため、説明を省略する。
【０１１８】
なお、この発明の実施形態２の画像形成システム１０において、デジタル複合機１は、ＰＣ２から受信した印刷データを一時的に保持する必要があるため、メモリ１０４は大容量のＨＤＤ等であることが望ましい。
【０１１９】
次に、図１３に基づき、この発明の実施形態２の画像形成システム１０の立ち上がり動作の検知処理の概略について説明する。
図１３のステップＳ２０３〜Ｓ２０８はそれぞれ、図７のステップＳ１０３〜Ｓ１０８に対応するため、説明を省略する。
ここでは、図７に記載のないステップＳ２０１、Ｓ２０２およびＳ２０９について説明する。
【０１２０】
図１３のステップＳ２０１において、ＰＣ２の操作部２０３から印刷ジョブの実行指示を受け付けたとき、ＰＣ２の制御部２００は、デジタル複合機１に当該印刷ジョブの指示、印刷者特定情報および印刷データを送信する（ステップＳ２０１）。
【０１２１】
続いて、ステップＳ２０２において、デジタル複合機１が印刷ジョブの指示、印刷者特定情報および印刷データを受信すると、デジタル複合機１の制御部１００は、印刷データをメモリ１０４に保持する（ステップＳ２０２）。
【０１２２】
ここで、図１４に示すように、ユーザーがＰＣ２において印刷要求をしたとき、ＰＣ２はネットワーク４を通じて、印刷ジョブの指示および印刷データをデジタル複合機１に送信する。
一方、印刷ジョブの指示および印刷データを受信したデジタル複合機１は、当該印刷データをメモリ１０４に保持する。
【０１２３】
次に、図１３のステップＳ２０８において、動作者特定情報がデジタル複合機１に送信されると、続くステップＳ２０９において、制御部１００は、メモリ１０４に保持した印刷データの印刷を実行する（ステップＳ２０９）。
【０１２４】
ここで、図１５に示すように、デジタル複合機１は、立ち上がり動作検知センサ付き端末３から動作者特定情報を受信すると、メモリ１０４に保持していた印刷データの印刷を開始する。
【０１２５】
このように、この発明の実施形態２に係る画像形成システム１０においては、印刷データをデジタル複合機１のメモリ１０４に保持しておくことにより、印刷準備を開始する処理を迅速に行うことが可能となる。
【０１２６】
＜実施形態２のデジタル複合機１の印刷処理＞
次に、図１６に基づき、この発明の実施形態２のデジタル複合機１の印刷処理について説明する。
図１６は、この発明のデジタル複合機１の処理を示すフローチャート図である。
【０１２７】
図１６のステップＳ２１３〜Ｓ２１７はそれぞれ、図１０のステップＳ１１３〜Ｓ１１６およびＳ１１９に対応するため、説明を省略する。
ここでは、図１０に記載のないステップＳ２１１およびＳ２１２について説明する。
【０１２８】
図１０のステップＳ２１１において、デジタル複合機１の制御部１００は、ＰＣ２からの印刷ジョブの指示、印刷者特定情報および印刷データを通信部５５が受信したか否かを判定する（ステップＳ２１１）。
【０１２９】
ＰＣ２からの印刷ジョブの指示、印刷者特定情報および印刷データをデジタル複合機１が受信した場合（ステップＳ２１１の判定がＹｅｓの場合）、制御部１００は、ステップＳ２１２において、印刷データをメモリ１０４に保持する（ステップＳ２１２）。
【０１３０】
一方、ステップＳ２１６において、登録ユーザーの立ち上がり動作の検知結果を受信した場合（ステップＳ２１６の判定がＹｅｓの場合）、制御部１００は、ステップＳ２１７において、メモリ１０４に保持した印刷データの印刷を実行する（ステップＳ２１７）。
【０１３１】
＜ＰＣ２の処理＞
次に、図１７に基づき、この発明の実施形態２のＰＣ２の処理について説明する。
図１７は、この発明のＰＣ２の処理を示すフローチャート図である。
【０１３２】
図１７のステップＳ２２１において、ＰＣ２の制御部２００は、デジタル複合機１に印刷ジョブの指示、印刷者特定情報および印刷データを送信させた後（ステップＳ２２１）、処理を終了する。
【０１３３】
＜立ち上がり動作検知センサ付き端末３の処理＞
図１８に示すこの発明の実施形態２の立ち上がり動作検知センサ付き端末３の処理は、図１２の処理と同じであるため、説明を省略する。
【０１３４】
〔実施形態３〕
立ち上がり動作検知センサ付き端末３は、加速度センサを利用して、人体の立ち上がり時の加速度の急速な変化を検知するものであってもよい。
【０１３５】
このようにすれば、例えば、ユーザーが所持するスマートフォン等の携帯端末に搭載された加速度センサを活用することで、立ち上がり動作の検知用の端末を別途準備しなくても、人体の立ち上がり動作を検知することが可能となる。
【０１３６】
〔実施形態４〕
立ち上がり動作検知センサ付き端末３は、超音波センサや赤外線センサ等の光センサ、あるいはカメラにより取得した画像の解析により、人体の立ち上がりを検知するものであってもよい。
【０１３７】
このようにすれば、ユーザーが立ち上がり動作検知センサ付き端末３を身に付けていなくても、例えば、ユーザーの周囲に設置したセンサや、ＰＣ２等に組み込まれたカメラ等を利用することによって、当該ユーザーの立ち上がり動作の検知を行うことが可能となる。
【０１３８】
〔実施形態５〕
立ち上がり動作検知センサ付き端末３は、機械式スイッチや静電容量スイッチまたは圧力センサ等により、人体の立ち上がりを検知するものであってもよい。
【０１３９】
このようにすれば、ユーザーが立ち上がり動作検知センサ付き端末３を身に付けていなくても、例えば、ユーザーが座る椅子に設置した機械式スイッチや圧力センサ等を利用することによって、当該ユーザーの立ち上がり動作の検知を行うことが可能となる。
【０１４０】
〔実施形態６〕
登録ユーザーの立ち上がり動作を検知した後、デジタル複合機１の制御部１００は、省電力状態からの復帰のみを行い、その後、デジタル複合機１が備える人感センサ等により人体のデジタル複合機１への接近を検知した場合に、印刷処理を開始するようにしてもよい。
【０１４１】
このようにすれば、より適切なタイミングで印刷の準備を開始することができるため、電力消費を抑えつつ、ユーザーの待ち時間および原稿の放置時間を従来よりも短くする画像形成システム１０が実現できる。
【０１４２】
〔実施形態７〕
実施形態６において、人感センサの代わりに、立ち上がり動作検知センサ付き端末３からの電波強度の増加や応答時間の減少等を検知することによって、ユーザーのデジタル複合機１への接近を検知するようにしてもよい。
【０１４３】
このようにすれば、立ち上がり動作検知センサ付き端末３を身に付けたユーザーの立ち上がり動作の検知だけでなく、当該立ち上がり動作検知センサ付き端末３からの電波強度の増加や応答時間の減少等を検知することによって、より適切なタイミングで印刷の準備を開始することができるため、電力消費を抑えつつ、ユーザーの待ち時間および原稿の放置時間を従来よりも短くする画像形成システム１０が実現できる。
【０１４４】
〔実施形態８〕
実施形態１〜５において、立ち上がり動作検知センサ付き端末３がユーザーの立ち上がり動作を検知すると、制御部３００は、登録ユーザーの立ち上がり動作を検知した旨の情報として、登録ユーザーを特定可能な情報を直接デジタル複合機１に送信する例にて説明を行った。
一方、実施形態８に係る立ち上がり動作検知センサ付き端末３は、ユーザーが印刷の指示を行うために用いたＰＣ２を介し、ネットワーク４にて登録ユーザーを特定可能な情報をデジタル複合機１に送信する。
【０１４５】
このようにすれば、ＰＣ２を介してネットワーク４を用いることで、デジタル複合機１と直接無線通信を行う必要がなくなり、近傍のＰＣ２との通信で済み、デジタル複合機との距離に関わりなく通信による負担を低減することができる。
【０１４６】
〔実施形態９〕
実施形態１〜８において、ＰＣ２の操作部２０３から印刷ジョブの指示を受け付けたとき、制御部２００は、デジタル複合機１に当該印刷ジョブの指示および印刷者特定情報（あるいは、印刷ジョブの指示、印刷者特定情報および印刷データ）を送信する例にて説明を行った。
一方、実施形態９においては、制御部２００は、操作部２０３から印刷ジョブの実行指示を受け付けた時点で印刷ジョブ等の送信を行うことなく、ＰＣ２のメモリ２０４に当該印刷ジョブ等を一時的に保持しておく。その後、立ち上がり動作検知センサ付き端末３がユーザーの立ち上がり動作を検知し、登録ユーザーを特定可能な情報をＰＣ２の通信部２５５が受信した場合に、ＰＣ２のメモリ２０４に保持していた印刷ジョブ等をデジタル複合機１に送信するようにしてもよい。
【０１４７】
なお、実施形態４に記載したＰＣ２に組み込まれたカメラ等のセンサにてユーザーの立ち上がり動作を検出した場合に、ＰＣ２のメモリ２０４に保持していた印刷ジョブ等をデジタル複合機１に送信するようにしてもよい。
【０１４８】
このようにすれば、デジタル複合機１にて特別な処理が必要なくなる。
【０１４９】
〔実施形態１０〕
実施形態１のステップＳ１０９において、デジタル複合機１の制御部１００は、立ち上がり動作検知センサ付き端末３から動作者特定情報を受信した後で、印刷データの送信要求をＰＣ２に行っていた。
この場合、デジタル複合機１は、ＰＣ２から受信した印刷者特定情報と、立ち上がり動作検知センサ付き端末３から受信した動作者特定情報とが一致するか否かを判定するユーザー判定部１０１をさらに備え、これらの情報が一致するとユーザー判定部１０１が判定した場合に、ＰＣ２へ印刷データの送信要求を送るようにしてもよい。
【０１５０】
実施形態２のステップＳ１０９において、デジタル複合機１の制御部１００は、立ち上がり動作検知センサ付き端末３から動作者特定情報を受信した後で、印刷データの送信要求をＰＣ２に行っていた。
また、制御部１００は、立ち上がり動作検知センサ付き端末３から動作者特定情報を受信した後で、メモリ１０４に保持した印刷データの印刷を実行するようにしてもよい。
【０１５１】
このようにすれば、印刷ジョブの指示をしたユーザーが立ち上がるタイミングで印刷の準備を開始するため、電力消費を抑えつつ、ユーザーの待ち時間および原稿の放置時間を従来よりも短くするデジタル複合機１を実現することが可能となる。
【０１５２】
この発明の好ましい態様には、上述した複数の態様のうちの何れかを組み合わせたものも含まれる。
前述した実施の形態の他にも、この発明について種々の変形例があり得る。それらの変形例は、この発明の範囲に属さないと解されるべきものではない。この発明には、請求の範囲と均等の意味および前記範囲内でのすべての変形とが含まれるべきである。
【符号の説明】
【０１５３】
１：デジタル複合機、    ２：ＰＣ、    ３：立ち上がり動作検知センサ付き端末、    ４：ネットワーク、    １０：画像形成システム、    １１：光走査装置、    １２：現像装置、    １３：感光体ドラム、    １４：ドラムクリーニング装置、    １５：帯電器、    １７：定着装置、    １８：給送トレイ、    １９：手差しトレイ、    ２１：中間転写ベルト、    ２２：ベルトクリーニング装置、    ２３：２次転写装置、    ２３ａ：転写ローラ、    ２４：加熱ローラ、    ２５：加圧ローラ、    ３３：ピックアップローラ、    ３４：レジストローラ、    ３５：搬送ローラ、    ３６ａ，３６ｂ：排出ローラ、    ３９ａ，３９ｂ：排出トレイ、    ５５，２５５，３５５：通信部、    ５５ａ，２５５ａ：無線制御Ｉ／Ｆ、    ５５ｂ：ネットワークＩＦ、    １００，２００，３００：制御部、    １００ａ：稼働状態制御部、    １００ｂ：加熱温度制御部、１０１：ユーザー判定部、    １０２：印刷部、    １０３：表示操作部、    １０４，２０４，３０４：メモリ、    １０４ａ，２０４ａ，３０４ａ：ＲＡＭ、    １０４ｂ，２０４ｂ，３０４ｂ：ＲＯＭ、    １１１：原稿読取装置、    １１２：原稿搬送装置、    ２０１：画像処理部、    ２０２：表示部、    ２０３：操作部、    ３１１：電源制御・電池部、    ３１２：立ち上がり動作検知用センサ、    Ｃ：矢印、    Ｐａ，Ｐｂ，Ｐｃ，Ｐｄ：画像ステーション、    Ｒ１：シート搬送経路、    Ｔ１：定着温度、    Ｔ２：待機温度
【図１】
2018065276.tif 000003
【図２】
2018065276.tif 000004
【図３】
2018065276.tif 000005
【図４】
2018065276.tif 000006
【図５】
2018065276.tif 000007
【図６】
2018065276.tif 000008
【図７】
2018065276.tif 000009
【図８】
2018065276.tif 000010
【図９】
2018065276.tif 000011
【図１０】
2018065276.tif 000012
【図１１】
2018065276.tif 000013
【図１２】
2018065276.tif 000014
【図１３】
2018065276.tif 000015
【図１４】
2018065276.tif 000016
【図１５】
2018065276.tif 000017
【図１６】
2018065276.tif 000018
【図１７】
2018065276.tif 000019
【図１８】
2018065276.tif 000020